(57)【要約】【課題】ディストーションを改善したカプセル内視鏡用の撮像レンズを提供する。【解決手段】カプセル内視鏡は、略球面状の被写体４０を撮像面に平面状に結像させる撮像レンズ４５ａを備えている。撮像レンズ４５ａは、第１〜第４レンズＬ１〜Ｌ４の４枚のレンズと開口絞りＳ８から構成され、物体側から順に、負の屈折力の第１レンズ群Ｇ１，開口絞りＳ８，正の屈折力の第２レンズ群Ｇ２となるように構成される。第１レンズＬ１は物体側に凸面を向けたメニスカス形状のレンズとなっており、像側の面Ｓ５の曲率が物体側の面Ｓ４の曲率よりも大きい。第２レンズＬ２は、像側に凸面を向けたメニスカス形状のレンズとなっており、像側の面Ｓ７の曲率が物体側の面Ｓ６の曲率よりも大きい。第１〜第４レンズＬ１〜Ｌ４の面形状や配置はカプセル内視鏡の前カバー４１や撮像素子のカバーガラス５６を考慮したものとなっている。【選択図】図５
2009136386.tif 000002
【特許請求の範囲】
【請求項１】
ドーム状の透明カバー内に配置されるカプセル内視鏡用の撮像レンズにおいて、
球面状の被写体を撮像したときに被写体の中心から最大画角までの全域における像を略同一平面状に結像させ、かつ、４枚のレンズから構成されていることを特徴とする撮像レンズ。
【請求項２】
被写体側から順に、負の屈折力を有する第１レンズ群、絞り、正の屈折力を有する第２レンズ群を備えていることを特徴とする請求項１に記載の撮像レンズ。
【請求項３】
最大半画角をωＭＡＸとするときに、
２ωＭＡＸ＞１３５  （度）
を満足することを特徴とする請求項１または２に記載の撮像レンズ。
【請求項４】
請求項１ないし３に記載の撮像レンズを備えることを特徴とするカプセル内視鏡。
【発明の詳細な説明】
【技術分野】
【０００１】
本発明は、生体内を検査する内視鏡に用いられる撮像レンズに関し、さらに詳しくは、飲み込んで使用されるカプセル型の内視鏡に用いられる撮像レンズに関する。
【背景技術】
【０００２】
従来、医療分野においては、内視鏡を利用した診断が盛んに行われている。この内視鏡を利用した診断は、湾曲する方向を自在に操作可能に設けられたフレキシブルな挿入部を、患者の体内に挿入して行われる。また、挿入部の先端には、照明装置、撮像レンズ、撮像素子などからなる小型の撮像部が設けられている。したがって、挿入型の内視鏡は、医師の操作により、撮像部は患者体内において所定範囲内で任意に向きを変えられ、病変の疑いのある部位を的確に撮像することができ、正確な診断や病変の早期発見等、的確な医療診断の助けとなっている。
【０００３】
挿入型の内視鏡は、挿入時の患者の負担を軽減するように形状等を工夫してつくられているとはいえ、長い挿入部を体内に挿入することは患者にとっては大きな負担であり、これを利用するには麻酔等が必要となるケースもある。
【０００４】
近年ではさらに患者の負担を軽減するために、小型の撮像装置を嚥下可能なカプセルにおさめたいわゆるカプセル型の内視鏡（以下、カプセル内視鏡）の開発が進められ、実用化されつつある。このカプセル内視鏡は、容易に飲み込むことができる大きさにつくられるから、挿入型の内視鏡と比較すれば患者の負担は大きく軽減するが、体内での位置や向きの制御が困難となる。
【０００５】
したがって、体内での姿勢が好ましい状態でない場合にも病変部位を逃さず撮像するために、カプセル内視鏡は広角の撮像レンズを搭載し、できるだけ広い範囲を撮影することが望ましい。
【０００６】
こうしたことから、広い撮影範囲を確保しつつ、カプセルサイズを小型化したカプセル内視鏡が知られている（特許文献１）。また、小型化，広角化のみならず、例えば、最適な被写界深度を達成するカプセル内視鏡（特許文献２）や、円筒状構造を良好に照明するカプセル内視鏡（特許文献３）等も知られている。
【特許文献１】特開２００５−８０７８９号公報
【特許文献２】特開２００５−８０７９０号公報
【特許文献３】特開２００６−６１４３８号公報
【発明の開示】
【発明が解決しようとする課題】
【０００７】
カプセル内視鏡は、その飲み込みやすさが重視されるから、できるだけ小型化するために、従来のカプセル内視鏡ではできるだけ少ない構成のレンズ、例えば２群２枚構成の広角レンズを撮像レンズとして搭載している。
【０００８】
上述のように、カプセル内視鏡には広角の撮像レンズを搭載することが望ましいが、他の撮像レンズ等と同様に、広角のレンズほどディストーションが顕著に現れてしまう。例えば、広角のレンズでよく見られるように、樽型のディストーションが生じていると、像が歪曲しているばかりか、得られた画像の周辺部分では像は小さくなってしまう。
【０００９】
カプセル内視鏡で撮影される画像は人体の体内の像であり、病変の有無等の診断を目的とした画像が取得されるが、病変の大きさはその種類や進行程度等によって異なり、極めて小さなものであることも多い。したがって、前述のように樽型のディストーションが生じた画像の周辺部分に、こうした小さな病変が写されていると、病変部位は実際よりもさらに小さくなるため見落とされてしまうという問題がある。
【００１０】
一方、カプセル内視鏡はその飲み込みやすさが重視され、使い捨てられるものであるから、安価かつ小型化するために、できるだけ少ない構成のレンズ、例えば、２群２枚構成の広角レンズを撮像レンズとして搭載している。こうした従来のカプセル内視鏡の撮像レンズは、ディストーションを改善したものはなく、カプセルサイズを小さく保ちながらも、ディストーションを改善した撮像レンズが必要とされている。
【００１１】
本発明は上述の問題点に鑑みてなされたものであり、飲み込みやすい大きさでありながらも、ディストーションが改善された広角の撮像レンズと、これを搭載し、撮影範囲の全域で病変の見落としを防ぐカプセル内視鏡を提供することを目的とする。
【課題を解決するための手段】
【００１２】
本発明の撮像レンズは、ドーム状の透明カバー内に配置されるカプセル内視鏡用の撮像レンズであり、球面状の被写体を撮像したときに被写体の中心から最大画角までの全域における像を略同一平面状に結像させ、かつ、４枚のレンズから構成されていることを特徴とする。
【００１３】
また、被写体側から順に、負の屈折力を有する第１レンズ群、絞り、正の屈折力を有する第２レンズ群を備えていることを特徴とする。
【００１４】
また、最大半画角をωＭＡＸとするときに、２ωＭＡＸ＞１３５（度）を満足することを特徴とする請求項１または２に記載の撮像レンズ。
【００１５】
本発明のカプセル内視鏡は、上述の撮像レンズを備えることを特徴とする。
【発明の効果】
【００１６】
本発明によれば、飲み込みやすい大きさでありながらも、ディストーションが改善された広角レンズを搭載し、撮影範囲の全域で病変の見落としを防ぐカプセル内視鏡を提供することができる。
【発明を実施するための最良の形態】
【００１７】
図１に示すように、カプセル内視鏡による診断システム１１は、カプセル内視鏡１５、受信装置１６、ワークステーション１７とから構成される。
【００１８】
カプセル内視鏡１５は、シールドシャツ２１を装着した患者２２の口部から体内に嚥下して使用され、体内管路を通過する際にその内壁面を撮像する。カプセル内視鏡１５が撮像した画像データは電波にて受信装置１６に無線送信される。こうした画像データの通信は、カプセル内視鏡１５内に設けられた送信アンテナと、シールドシャツ２１内に設けられた受信アンテナ２３とを介して行われる。
【００１９】
受信装置１６は、各種設定画面を表示するＬＣＤ２４や、各種設定操作を行うための操作部２６を備えている。この受信装置１６は、カプセル内視鏡１５が患者２２の体内にある検査時には、患者２２に携帯され、前述のようにカプセル内視鏡１５から無線送信される画像データを受信し、記憶する。一方、得られた画像データをもとに診断が行われる際には、診断用のワークステーション１７に接続され、記憶した画像データを読み出される。
【００２０】
ワークステーション１７は、プロセッサ２７、キーボードやマウス等からなる操作部２８、ディスプレイ３１等から構成される。プロセッサ２７は、例えばＵＳＢケーブル３２で受信装置１６と接続され、受信装置１６に記憶された画像データを取得する。また、こうしてプロセッサ２７に取得された画像データは、患者毎に蓄積，管理される。カプセル内視鏡１５で得られた画像データに基づいて診断を行う際には、ワークステーション１７は、操作部２８による操作に基づいて蓄積された画像データからテレビ画像が生成し、ディスプレイ３１に表示する。
【００２１】
図２に示すように、カプセル内視鏡１５の外形は、前カバー４１と後カバー４２とから形作られる。前カバー４１は、前面がドーム状に形成されており、後カバー４２と嵌合して端面がドーム状になった円筒状の水密な空間を形成する。この前カバー４１の少なくとも前面は透明な材料からなり、被写体である患者２２の体内（以下、単に被写体と称す）からの光を透過する。
【００２２】
前カバー４１と後カバー４２とにより形成される空間内には、撮像レンズ４５、撮像素子４６、照明装置４７、送信アンテナ４８、ボタン電池４９などが収容されている。すなわち、前カバー４１と後カバー４２とによって撮像レンズ４５等の各部は水密に覆われている。
【００２３】
照明装置４７は、例えば白色のＬＥＤによって被写体を一様に照明する光学系であり、撮像レンズ４５の周囲に複数設けられている。撮像レンズ４５は、被写体からの光を撮像素子４６に結像させる。この撮像レンズ４５は、４〜５枚のレンズや開口絞り等から構成された広角のレンズとなっている。また、撮像素子４６は、例えばＣＣＤ型の撮像素子であり、撮像レンズ４５によって撮像面に結像された被写体の像を光電変換し、画像データを生成する。
【００２４】
送信アンテナ４８は、撮像素子４６によって生成された画像データを前述の受信装置１６に随時送信する。ボタン電池４９は、カプセル内視鏡１５が患者２２の体内にある検査時に、照明装置４７，撮像素子４６，送信アンテナ４８等へ電力を供給する。また、こうした電力の供給は、電力供給回路によって行われる。
【００２５】
図３に示すように、撮像レンズ４５は、球面状の被写体４０からの光を、平面である撮像素子４６の撮像面に結像させるように構成されている。すなわち、撮像レンズ４５は、球面状の被写体を撮像したときに被写体の中心から周辺までの全域における像が略同一平面状に結像するように構成されている。この撮像レンズ４５は、光軸Ｚ１からの撮影範囲の角度、すなわち半画角ωが最大８５度程度、全画角２ωが最大１７０度程度と広角になっており、球面状に形成された前カバー４１の略全域からの光を撮像素子４６に結像させる。
【００２６】
カプセル内視鏡１５が患者２２の体内にあるときには、その姿勢を制御することは容易でないために、病変部位を確実に撮像するためにも可能な限り広画角の撮像レンズを搭載していることが好ましい。したがって、撮像レンズ４５は、最大の半画角をωＭＡＸとするときに、２ωＭＡＸ＞１３５（度）を満たすように構成されていることが好ましい。２ωＭＡＸが１３５度を下回ると、患者２２の体内で姿勢を制御することが容易でないカプセル内視鏡の撮像レンズとしては不適当であり、撮影箇所に漏れが生じる可能性がある。
【００２７】
撮像レンズ４５は、負の屈折力の第１レンズ群Ｇ１、開口絞りＳ、正の屈折力の第２レンズ群Ｇ２とからなり、物体側（被写体側）から第１レンズ群Ｇ１，開口絞りＳ，第２レンズ群Ｇ２の順に配置されている。また、撮像レンズ４５は、第１レンズ群Ｇ１及び第２レンズ群Ｇ２を構成する各レンズをあわせて、合計で４枚のレンズから構成される。第１レンズ群Ｇ１は１又は２枚のレンズからなり、全体として負の屈折力のレンズ群となっている。この第１レンズ群Ｇ１は撮像レンズ４５の中で最も前面（物体側）に配置される。また、第２レンズ群Ｇ２は２又は３枚のレンズからなり、全体として正の屈折力のレンズ群となっている。この第２レンズ群Ｇ２は、開口絞りＳを挟んで第１レンズ群Ｇ１の後方（像側）に配置される。
【００２８】
撮像レンズ４５の最も物体側に配置される第１レンズＬ１は、第１レンズ群Ｇ１を構成するレンズの一つであり、物体側に凸面を向けたメニスカス形状となっている。この第１レンズＬ１の各面の曲率は、物体側の面の曲率に比べて像側の面の曲率が大きい。また、物体側から数えて２番目に配置される第２レンズＬ２は、第１レンズ群Ｇ１又は第２レンズ群Ｇ２を構成し、像側に凸面を向けたメニスカス形状となっている。この第２レンズＬ２の各面の曲率は、物体側の面の曲率に比べて、像側の面の曲率がより大きい。
【００２９】
さらに、この撮像レンズ４５は、ある画角ωの点における像高をＹ（ω）とし、この画角ωの点からの画角の微小変化量をΔωとするときに、任意の画角ωで下記数１の条件を満たすように構成されている。
【００３０】
【数１】
2009136386.tif 000003
【００３１】
この条件式は、球面状の被写体を平面に結像させる撮像レンズ４５で生じるディストーションの程度を定めるものであり、下限を下回るとディストーションが大きくなり、撮像した画像の周辺部分では像高が小さくなり過ぎ、ここに写された病変は診断時に見落とされてしまう恐れが生じる。
【００３２】
等間隔に円環状の模様がある球面状の被写体を、撮像レンズ４５を用いて撮像すると、図４（Ａ）に示すように、（Ｙ（ω＋Δω）−Ｙ（ω））／Ｙ（Δω）＝１．０の場合には、等間隔に同心円状の模様５１ａ〜ｅが写し出される。このとき、最小の円模様５１ａの半径をｒとすると、円模様５１ｂ〜ｅの半径はそれぞれ２ｒ，３ｒ，４ｒ，５ｒであり、隣り合う円模様の間隔は何れもｒとなっている。すなわち、（Ｙ（ω＋Δω）−Ｙ（ω））／Ｙ（Δω）＝１．０の場合にはディストーションは生じておらず、撮影した画像の周辺部分に写し出された病変の像は、これを正面から撮像した場合と同じ大きさ，形状に写し出される。
【００３３】
一方、図４（Ｂ）に示すように、（Ｙ（ω＋Δω）−Ｙ（ω））／Ｙ（Δω）＝０．７の場合には、撮影画角が一定のため最も径の大きい円模様５１ｅはディストーションのない場合と同じ大きさ，形状に写し出される。しかし、これよりも径の小さい円模様５１ａ〜ｄは、何れもディストーションのない場合の像よりも拡大して写し出される。このとき、径が最小の円模様５１ａの半径はｒよりも大きく、円模様５１ａと円模様５１ｂとの間隔はｒよりも大きい。また、円模様５１ｂと円模様５１ｃとの間隔はｒに等しい。一方で、円模様５１ｃと円模様５１ｄとの間隔はｒよりも小さく、円模様５１ｄと円模様５１ｅとの間隔はさらに小さくなる。
【００３４】
しかし、（Ｙ（ω＋Δω）−Ｙ（ω））／Ｙ（Δω）＝０．７程度のディストーションであれば、画像の周辺部分に病変が写し出されている場合にも、この病変の見落としにつながるほど像が縮小歪曲されてしまうことはない。
【００３５】
図４（Ｃ）に示すように、（Ｙ（ω＋Δω）−Ｙ（ω））／Ｙ（Δω）＝０．５になると、画像周辺部分における円模様間隔の縮小はより顕著となる。したがって、病変が画像の周辺部分に写し出されている場合には見落とされてしまう可能性が生じる。
【００３６】
さらに、図４（Ｄ）に示すように、（Ｙ（ω＋Δω）−Ｙ（ω））／Ｙ（Δω）＝０．３ともなると、画像の周辺部分における円模様間隔の縮小は極めて顕著となり、本来比較的大きく、正面から観察すれば容易に発見されるような病変であったとしても、画像の周辺部分に写し出された場合には極端に縮小，歪曲され見落とされてしまう可能性がある。
【００３７】
このように、（Ｙ（ω＋Δω）−Ｙ（ω））／Ｙ（Δω）の値が１．０と比較して小さいほど、画像周辺部分でのディストーションの影響が著しくなる。したがって、球面状の被写体を平面に結像させる撮像レンズ４５では、前述の条件式（数１）を満たすことが好ましい。すなわち、（Ｙ（ω＋Δω）−Ｙ（ω））／Ｙ（Δω）の値は、任意の半画角ωについて０．７よりも大きな値であることが好ましい。また、任意の半画角ωに対して、（Ｙ（ω＋Δω）−Ｙ（ω））／Ｙ（Δω）の値は、０．７より大きく１．３より小さいことが好ましく、０．８より大きく１．２より小さいことがより好ましい。また、任意の半画角ωに対して、（Ｙ（ω＋Δω）−Ｙ（ω））／Ｙ（Δω）の絶対値が１．０にできる限り近い値となっていることが特に好ましい。
【００３８】
以下に、前述の条件式を満たす撮像レンズ４５の具体的な例を、４枚のレンズから構成されるものを実施例１及び２として説明する。
【００３９】
[実施例１]
図５に示すように、撮像レンズ４５ａは、物体側（被写体側）から順に、物体側に凸面を向けたメニスカス形状の第１レンズＬ１、像側（撮像素子側）に凸面を向けたメニスカス形状の第２レンズＬ２、開口絞り、像側に凸面を向けたメニスカス形状の第３レンズＬ３、両凸形状の第４レンズＬ４から構成される。また、撮像レンズ４５ａの第１レンズ群Ｇ１は、開口絞りよりも物体側に配置された第１レンズＬ１と第２レンズＬ２とからなり、全体として負の屈折力のレンズ群となっている。一方、撮像レンズ４５ａの第２レンズ群Ｇ２は、開口絞りよりも像側に配置された第３レンズＬ３と第４レンズＬ４とからなり、全体として正の屈折力のレンズ群となっている。また、これらのレンズＬ１〜Ｌ４の面形状や配置は、前カバー４１及び撮像素子４６のカバーガラス５６を考慮したものとなっている。
【００４０】
また、球面状の被写体表面をＳ１、前カバー４１の物体側の面をＳ２、前カバー４１の像側の面をＳ３、第１レンズＬ１の物体側の面をＳ４、第１レンズＬ１の像側の面をＳ５、第２レンズＬ２の物体側の面をＳ６、第２レンズＬ２の像側の面をＳ７、開口絞りをＳ８、第３レンズＬ３の物体側の面をＳ９、第３レンズＬ３の像側の面をＳ１０、第４レンズＬ４の物体側の面をＳ１１、第４レンズＬ４の像側の面をＳ１２、カバーガラス５６の物体側の面をＳ１３、カバーガラス５６の像側の面をＳ１４とし、面Ｓｉ（面番号ｉ＝１〜１４）で表す。また、撮像素子４６の撮像面は面Ｓ１４と一致している。さらに、面Ｓｉとこれと隣り合う像側の面Ｓｉ＋１との光軸Ｚ１上での間隔（面間隔）をＤｉ（ｉ＝１〜１３）で表す。
【００４１】
撮像レンズ４５ａのレンズデータとして、各面Ｓｉの曲率半径Ｒｉ、各面間隔Ｄｉ、ｄ線（波長５８７．６ｎｍ）に対する前カバー４１，各レンズＬ１〜Ｌ４，カバーガラス５６の屈折率Ｎｄ及びアッベ数νｄを表１に示す。また、表１の下段に、撮像レンズ４５ａのＦ値、焦点距離ｆ、画角２ω（度）を併せて示す。なお、このレンズデータ（表１）は、焦点距離ｆの値が１．０となるように規格化した場合のレンズデータとなっている。また、非球面形状の面Ｓｉを＊で示す。
【００４２】
また、非球面形状の面Ｓｉの具体的な形状は、曲率（近軸曲率半径Ｒの逆数）ｃ、円錐定数Ｋ、光軸からの距離ρ（ρ２＝ｘ２＋ｙ２）、ｉ次の非球面係数Ａｉを用いて、下記の数２で表される。非球面状の面Ｓｉについては、円錐定数Ｋ及び各々の非球面係数Ａｉを表２に示す。なお、この非球面の形状を定める式は、後述する実施例２についても共通となっている。
【００４３】
【表１】
2009136386.tif 000004
【００４４】
【数２】
2009136386.tif 000005
【００４５】
【表２】
2009136386.tif 000006
【００４６】
図５及び表１に示すように、第１レンズＬ１は、物体側に凸面を向けたメニスカス形状となっているとともに、物体側の面Ｓ４の曲率半径Ｒ４の絶対値が像側の面Ｓ５の曲率半径Ｒ５の絶対値よりも大きい。すなわち、第１レンズＬ１は、物体側の面Ｓ４の曲率と比べて、像側の面Ｓ５の曲率が大きい。また、第２レンズＬ２は、像側に凸面を向けたメニスカス形状となっているとともに、物体側の面Ｓ６の曲率半径Ｒ６の絶対値が像側の面Ｓ７の曲率半径Ｒ７の絶対値よりも大きい。すなわち、第２レンズＬ２は、物体側の面Ｓ６の曲率と比べて、像側の面Ｓ７の曲率が大きい。
【００４７】
さらに、撮像レンズ４５ａの球面収差、非点収差、倍率色収差を図６に示す。この各収差図は表１に示す前カバー４１及びカバーガラス５６を配置したものとなっている。なお、球面収差は、ｄ線（波長５８７．６ｎｍ）についてのものを実線で、Ｆ線（波長４８６．１３ｎｍ）についてのものを破線で、Ｃ線（波長６５６．２７ｎｍ）についてのものを一点鎖線で示す。また、非点収差は、サジタル方向のものを実線で、タンジェンシャル方向のものを破線で示す。倍率色収差は、Ｆ線についてのものを破線で、Ｃ線についてのものを一点鎖線で示す。これらの各収差図の表記は、後述する実施例２についても同様である。
【００４８】
この撮像レンズ４５ａは、図７に示すように、任意の画角ωについて前述の条件式（数１）を満たし、半画角ω＝０〜８４．０度の全範囲で（Ｙ（ω＋Δω）−Ｙ（ω））／Ｙ（Δω）の値が０．７よりも大きく１．０に近い値となっている。したがって、この撮像レンズ４５ａを用いて球面状の被写体を撮影した画像は、周辺部分においても像の縮小，歪曲は小さい。すなわち、撮像レンズ４５ａは最大画角２ωＭＡＸが１６８．０度にも及ぶ広角レンズであるにもかかわらず、これを用いて撮影した画像は、周辺部分を含めた全範囲で、病変の見落としが懸念されるほどのディストーションは生じない。
【００４９】
このように、撮像レンズ４５ａは４枚のレンズから構成されることで、特に上述のような２群４枚構成となっていることで、カプセル内視鏡の大きさを大きくすることなく、画角２ωＭＡＸの全画角範囲でディストーションを良好に補正されたものとなっている。したがって、この撮像レンズ４５ａを搭載することで、カプセル内視鏡は飲み込みやすい大きさを維持しながらも、広画角で、かつ画像周辺部分においてもディストーションの改善されたものとすることができる。
【００５０】
[実施例２]
図８に示すように、撮像レンズ４５ｂは、物体側から順に、物体側に凸面を向けたメニスカス形状の第１レンズＬ１、開口絞り、像側に凸面を向けた第２レンズＬ２、両凸形状の第３レンズＬ３、両凸形状の第４レンズＬ４から構成される。また、撮像レンズ４５ｂの第１レンズ群Ｇ１は、開口絞りよりも物体側に配置された第１レンズＬ１からなり、負の屈折力のレンズ群となっている。一方、撮像レンズ４５ｂの第２レンズ群Ｇ２は、開口絞りよりも像側に配置された第２レンズＬ２，第３レンズＬ３，第４レンズＬ４からなり、全体として正の屈折力のレンズ群となっている。また、これらのレンズＬ１〜Ｌ４の面形状や配置は、前カバー４１及び撮像素子４６のカバーガラス５６を考慮したものとなっている。
【００５１】
また、球面状の被写体表面をＳ１、前カバー４１の物体側の面をＳ２、前カバー４１の像側の面をＳ３、第１レンズＬ１の物体側の面をＳ４、第１レンズＬ１の像側の面をＳ５、開口絞りをＳ６、第２レンズＬ２の物体側の面をＳ７、第２レンズＬ２の像側の面をＳ８、第３レンズＬ３の物体側の面をＳ９、第３レンズＬ３の像側の面をＳ１０、第４レンズＬ４の物体側の面をＳ１１、第４レンズＬ４の像側の面をＳ１２、カバーガラス５６の物体側の面をＳ１３、カバーガラス５６の像側の面をＳ１４とし、面Ｓｉ（面番号ｉ＝１〜１４）で表す。また、撮像素子４６の撮像面は面Ｓ１４と一致している。さらに、面Ｓｉとこれに隣り合う像側の面Ｓｉ＋１との光軸Ｚ１上での間隔（面間隔）をＤｉ（ｉ＝１〜１３）で表す。
【００５２】
撮像レンズ４５ｂのレンズデータとして、各面Ｓｉの曲率半径Ｒｉ、各面間隔Ｄｉ、ｄ線（波長５８７．６ｎｍ）に対する前カバー４１，各レンズＬ１〜Ｌ４，カバーガラス５６の屈折率Ｎｄ及びアッベ数νｄを表３に示す。また、表３の下段に、撮像レンズ４５ｂのＦ値、焦点距離ｆ、画角２ω（度）を併せて示す。なお、この撮像レンズ４５ｂのレンズデータ（表３）は、焦点距離ｆの値が１．０となるように規格化した場合のレンズデータとなっている。また、非球面形状の面Ｓｉを＊で示す。
【００５３】
また、非球面の具体的な形状は、前述の実施例１と同様の式（数２）で表され、非球面形状の面Ｓｉについては、円錐定数Ｋ及び各々の非球面係数Ａｉを表４に示す。
【００５４】
【表３】
2009136386.tif 000007
【００５５】
【表４】
2009136386.tif 000008
【００５６】
図８及び表３に示すように、第１レンズＬ１は、物体側に凸面を向けたメニスカス形状となっているとともに、物体側の面Ｓ４の曲率半径Ｒ４の絶対値が像側の面Ｓ５の曲率半径Ｒ５の絶対値よりも大きい。すなわち、第１レンズＬ１は、物体側の面Ｓ４の曲率と比べて、像側の面Ｓ５の曲率が大きい。また、第２レンズＬ２は、像側に凸面を向けたメニスカス形状となっているとともに、物体側の面Ｓ７の曲率半径Ｓ７の絶対値が像側の面Ｓ８の曲率半径Ｒ８の絶対値よりも大きい。すなわち、第２レンズＬ２は、物体側の面Ｓ７の曲率と比べて、像側の面Ｓ８の曲率が大きい。
【００５７】
さらに、撮像レンズ４５ｂの球面収差、非点収差、倍率色収差を図９に示す。この各収差図は、表３に示す前カバー４１及びカバーガラス５６を配置したものとなっている。なお、各収差の表記については前述の実施例１と同様である。
【００５８】
この撮像レンズ４５ｂは、図１０に示すように、任意の画角ωについて前述の条件式（数１）を満たし、半画角ω＝０〜８５．４度の全範囲で（Ｙ（ω＋Δω）−Ｙ（ω））／Ｙ（Δω）の値が０．７よりも大きく、１．０に近い値となっている。したがって、この撮像レンズ４５ｂを用いて球面状の被写体を撮影した画像は、周辺部分においても像の縮小，歪曲は小さい。すなわち、撮像レンズ４５ｂは最大画角２ωＭＡＸが１７０．８度にも及ぶ広角レンズであるにもかかわらず、これを用いて撮影した画像は、周辺部分を含めた全範囲で、病変の見落としが懸念されるほどのディストーションは生じない。
【００５９】
このように、撮像レンズ４５ｂは４枚のレンズから構成されることで、特に上述のような２群４枚構成となっていることで、カプセル内視鏡の大きさを大きくすることなく、画角２ωＭＡＸの全画角範囲でディストーションを良好に補正されたものとなっている。したがって、この撮像レンズ４５ｂを搭載することで、カプセル内視鏡は飲み込みやすい大きさを維持しながらも、広画角で、かつ画像周辺部分においてもディストーションの改善されたものとすることができる。
【００６０】
以上のように、本発明のカプセル内視鏡は、前述の条件式（数１）を満たす撮像レンズを搭載することで、容易に嚥下される大きさに収まりながらも、十分な撮影範囲を保ち、かつ、撮影した画像の周辺部分においてもディストーションの影響が極めて少ない画像を得ることができる。したがって、患者の体内で姿勢制御が困難なカプセル内視鏡であるにもかかわらず、撮影漏れがないばかりか、診断時に撮影した画像の周辺部分に写し出された病変の見落としの可能性が極めて少ない画像を得ることができる。
【００６１】
なお、上述の実施形態では、患者の体内での姿勢や位置の制御をしないカプセル内視鏡を例に説明するが、これに限らず、患者の体内で姿勢や位置の制御を行うカプセル内視鏡においても本発明を好適に適用することができる。また、上述の実施形態で示すカプセル内視鏡を用いた診断の様態は一例であり、これに限らない。
【図面の簡単な説明】
【００６２】
【図１】カプセル内視鏡による診断システムの概略を示す説明図である。
【図２】カプセル内視鏡の構成を示す断面図である。
【図３】カプセル内視鏡の撮影範囲を示す説明図である。
【図４】球面状の被写体を平面に結像させる時に生じるディストーションの例を示す説明図である。
【図５】実施例１の撮像レンズの構成を示す断面図である。
【図６】実施例１の撮像レンズの収差図である。
【図７】実施例１の撮像レンズのディストーションを示すグラフである。
【図８】実施例２の撮像レンズの構成を示す断面図である。
【図９】実施例２の撮像レンズの収差図である。
【図１０】実施例２の撮像レンズのディストーションを示すグラフである。
【符号の説明】
【００６３】
１５  カプセル内視鏡
４０  被写体
４１  前カバー
４２  後カバー
４５  撮像レンズ
４６  撮像素子
４７  照明装置
【図１】
2009136386.tif 000009
【図２】
2009136386.tif 000010
【図３】
2009136386.tif 000011
【図４】
2009136386.tif 000012
【図５】
2009136386.tif 000013
【図６】
2009136386.tif 000014
【図７】
2009136386.tif 000015
【図８】
2009136386.tif 000016
【図９】
2009136386.tif 000017
【図１０】
2009136386.tif 000018
【手続補正書】
【提出日】平成20年9月30日(2008.9.30)
【手続補正１】
【補正対象書類名】明細書
【補正対象項目名】００３０
【補正方法】変更
【補正の内容】
【００３０】
【数１】
2009136386.tif 000019